(57)【特許請求の範囲】
【請求項１】
ナースセンター等に設けられ当該ナースセンター等における看護人の映像を撮像するための親機カメラ（１１）を備えたナースコール親機（１）と、病室の入り口等に設けられ見舞い人等の訪問者の映像を撮像するための廊下灯カメラ（２１）を備えた廊下灯（２ａ、２ｂ、…）と、病室内に設けられ前記患者の映像を撮像するための子機カメラ（３１）を備えたナースコール子機（３ａ、３ｂ、…）とで構成され、前記ナースコール子機からの呼出しを前記廊下灯を経由して前記ナースコール親機にて報知するナースコールシステムであって、
前記ナースコール親機には、前記ナースコール子機の前記子機カメラで撮像した前記患者の映像を表示するための親機モニタ（１２）と、前記看護人が前記患者との間で音声の入出力を行うための親機送受話部（１３）と、前記ナースコール子機から前記廊下灯を経由して伝送されてくる前記患者の映像を受信して前記親機モニタに表示させるとともに、前記親機送受話部で入出力される前記音声による双方向の通信を可能とするための親機ＣＰＵ（１４）とを備え、
前記ナースコール子機には、前記ナースコール親機の前記親機カメラで撮像した前記看護人の映像または前記廊下灯の前記廊下灯カメラで撮像した前記訪問者の映像を表示するための子機モニタ（３２）と、前記患者が前記看護人または前記訪問者との間で音声の入出力を行うための子機送受話部（３３）と、前記ナースコール親機から前記廊下灯を経由して伝送されてくる前記看護人の映像または前記廊下灯から伝送されてくる前記訪問者の映像を受信して前記子機モニタに表示させるとともに、前記子機送受話部で入出力される前記音声による双方向の通信を可能とするための子機ＣＰＵ（３４）とを備え、
前記廊下灯には、前記ナースコール子機の前記子機カメラで撮像した前記患者の映像を表示するための廊下灯モニタ（２２）と、前記訪問者が前記患者との間で音声の入出力を行うための廊下灯送受話部（２３）と、前記ナースコール子機を選局するための廊下灯選局スイッチ（２５）と、前記廊下灯選局スイッチで選局された当該ナースコール子機の前記子機モニタに前記廊下灯カメラで撮像した映像を表示させ、同様に選局された当該ナースコール子機から伝送されてくる映像を受信して前記廊下灯モニタに表示させるとともに、前記選局された当該ナースコール子機の前記子機送受話部および前記廊下灯送受話部間で前記音声による双方向の通信を可能とするための廊下灯ＣＰＵ（２４）とを備えたことを特徴とするナースコールシステム。
【発明の詳細な説明】
【０００１】
【発明の属する技術分野】
本発明は、ナースコールシステムに係わり、特に、ナースセンターと病室間若しくは廊下灯と病室間の双方向の映像および音声によるコミュニケーションを図ることが可能なナースコールシステムに関する。
【０００２】
【従来の技術】
従来から、この種のナースコールシステムとして、図３に示すようなものが知られている。同図において、従来のナースコールシステムは、ナースセンターｎｃ等に設けられた親機１０および制御機４０と、複数の病室ａ、ｂ、…の各入り口等にそれぞれ設けられ複数の廊下灯２０a、２０ｂ、…と、各病室ａ、ｂ、…毎に、複数の患者のベッドサイドにそれぞれ設けられた複数のナースコ−ル子機３０a、３０ｂとを備えており、親機１０は親機幹線Ｌ１０を介して制御機４０に接続され、この制御機４０には廊下灯幹線Ｌ２０を介して複数の廊下灯２０a、２０ｂ、…が接続されている。
【０００３】
ここで、親機１０は、音声の入出力を行なうための親機マイク１３０ａおよび親機レシーバ１３０ｂを内蔵するハンドセットから成る送受話部１３０と、何れのナースコ−ル子機を呼出すかを選択する選局スイッチ１５０と、ナースコ−ル子機から呼出しがあったとき着信音を発生する着信音発生部１８０とを備えている。なお、選局スイッチ１５０は、何れのナースコ−ル子機から呼出しがあったかを表示するＬＥＤ等の表示部を兼用している。
【０００４】
また、各ナースコ−ル子機３０a、３０ｂは、それぞれ、音声の入出力を行なうための子機マイク３３０ａおよび子機スピーカ３３０ｂとから成る子機送受話部３３０と、ナースセンターｎｃ内の看護人を呼び出すための呼出しボタン３５０とを備えており、これらのナースコ−ル子機３０a、３０ｂは、病室ａ、ｂ、…毎に、それぞれ相互にライン接続されている。また、各病室ａ、ｂ、…内の特定のナースコ−ル子機３０aは、それぞれ、子機幹線Ｌ３０ａ、Ｌ３０ｂ、…を介して対応する廊下灯２０a、２０ｂ、…に接続されている。
【０００５】
次に、このように構成されたナースコール装置において、例えば、病室ａ内のある患者（以下、「特定患者ｐａ」という。）が、ナースセンターｎｃ内の看護人を呼び出すために、ナースコ−ル子機３０a、３０ｂの呼出しボタン３５０を押下すると、呼出信号が、子機幹線Ｌ３０ａ、廊下灯２０ａ、廊下灯幹線Ｌ２０、制御機４０および親機幹線Ｌ１０の経路（以下、子機幹線Ｌ３０ａ、廊下灯２０ａ、廊下灯幹線Ｌ２０、制御機４０および親機幹線Ｌ１０の経路を「伝送経路」という。）を経由して親機１０に伝送される。
【０００６】
そして、かかる呼出信号が親機１０に入力すると、親機１０の着信音発生部１８０から呼出音が鳴動すると共に特定患者ｐａに係る表示部１５０が点滅する。
【０００７】
ここで、ナースセンターｎｃ内の看護人が、特定患者ｐａからの呼出しを確認し、ハンドセットから成る送受話部１３０を取上げて呼出応答すると、伝送経路を介して親機１０の有する通話機能とナースコ−ル子機３０aの有する通話機能との間に通話路が形成される。これにより、ナースセンターｎｃ内の看護人と特定患者ｐａとの通話が開始される。なお、通話は、ハンドセットを親機１０のハンドセット受台（不図示）に置くことにより終了する。
【０００８】
一方、ナースセンターｎｃ内の看護人が、特定患者ｐａを呼び出す場合は、ナースセンターｎｃ内の看護人が、親機１０の特定患者ｐａを表示する選局スイッチ１５０を押下すると、看護人側からの呼出信号が伝送経路を介して特定患者ｐａに係るナースコ−ル子機３０aに伝送される。
【０００９】
かかる呼出信号がナースコ−ル子機３０aに入力すると、ナースコ−ル子機３０aの呼出報知機能が能動状態を呈し、ナースセンターｎｃ内の看護人からの呼出しが特定患者ｐａに報知される。
【００１０】
これにより、特定患者ｐａは、ナースコ−ル子機３０の子機マイク３３０ａおよび子機スピーカ３３０ｂを用いてナースセンターｎｃ内の看護人と通話をすることができる。
【００１１】
以上のように、このような構成のナースコールシステムにおいては、ナースコール親機１０の有する通話機能とナースコール子機３０a、３０ｂの有する通話機能との間に、伝送経路を介して通話路が形成され、ナースセンターｎｃ内の看護人と各病室内の患者との間で双方向の音声通信により、コミュニケーションを図ることができる。
【００１２】
【発明が解決しようとする課題】
ところで、ナースセンター内の看護人が病室内の患者とコミュニケーションを図る場合、患者の様子を見ながら、双方向で通話する方が適切な対応をとることができる。
【００１３】
しかしながら、従来のナースコールシステムにおいては、ナースコール親機とナースコール子機には通話機能しか存在しないため、看護人は患者の様子を見ながらコミュニケーションを図ることができないという難点があった。
【００１４】
本発明は、このような難点を解決するためになされたもので、ナースセンター内の看護人が病室内の患者の様子を見ながら、双方向で映像および音声によるコミュニケーションを図ることが可能なナースコールシステムを提供することを目的としている。
【００１５】
【課題を解決するための手段】
この目的を達成するため、本発明のナースコールシステムは、ナースセンター等に設けられ当該ナースセンター等における看護人の映像を撮像するための親機カメラを備えたナースコール親機と、病室の入り口等に設けられ見舞い人等の訪問者の映像を撮像するための廊下灯カメラを備えた廊下灯と、病室内に設けられ患者の映像を撮像するための子機カメラを備えたナースコール子機とで構成され、ナースコール子機からの呼出しを廊下灯を経由してナースコール親機にて報知するナースコールシステムであって、ナースコール親機には、ナースコール子機の子機カメラで撮像した患者の映像を表示するための親機モニタと、看護人が患者との間で音声の入出力を行うための親機送受話部と、ナースコール子機から廊下灯を経由して伝送されてくる患者の映像を受信して親機モニタに表示させるとともに、親機送受話部で入出力される音声による双方向の通信を可能とするための親機ＣＰＵとを備え、ナースコール子機には、ナースコール親機の親機カメラで撮像した看護人の映像または廊下灯の廊下灯カメラで撮像した訪問者の映像を表示するための子機モニタと、患者が看護人または訪問者との間で音声の入出力を行うための子機送受話部と、ナースコール親機から廊下灯を経由して伝送されてくる看護人の映像または廊下灯から伝送されてくる訪問者の映像を受信して子機モニタに表示させるとともに、子機送受話部で入出力される音声による双方向の通信を可能とするための子機ＣＰＵとを備え、廊下灯には、ナースコール子機の子機カメラで撮像した患者の映像を表示するための廊下灯モニタと、訪問者が患者との間で音声の入出力を行うための廊下灯送受話部と、ナースコール子機を選局するための廊下灯選局スイッチと、廊下灯選局スイッチで選局された当該ナースコール子機の子機モニタに廊下灯カメラで撮像された映像を表示させ、同様に選局された当該ナースコール子機から伝送されてくる映像を受信して廊下灯モニタに表示させるとともに、選局された当該ナースコール子機の子機送受話部および廊下灯送受話部間で音声による双方向の通信を可能とするための廊下灯ＣＰＵとを備えたことを特徴としている。
【００１６】
【発明の実態の形態】
以下、本発明のナースコールシステムを適用した好ましい実施の形態例について、図面を参照して詳述する。
【００１７】
図１は、本発明のナースコールシステムのシステム構成図を示している。同図において、本発明のナースコールシステムは、ナースセンターＮＣ等に設けられた親機１および制御機４と、複数の病室Ａ、Ｂ、…の各入り口等にそれぞれ設けられ複数の廊下灯２ａ、２ｂ、…と、各病室Ａ、Ｂ、…毎に、複数の患者のベッドサイドにそれぞれ設けられた複数のナースコ−ル子機３ａ、３ｂ、…とを備えており、親機１は親機幹線Ｌ１を介して制御機４に接続され、この制御機４には廊下灯幹線Ｌ２を介して複数の廊下灯２ａ、２ｂ、…が接続されている。また、各ナースコ−ル子機３ａ、３ｂ、…は、病室Ａ、Ｂ、…毎に、それぞれ相互にライン接続され、各病室Ａ、Ｂ、…内の特定のナースコ−ル子機３ａは、それぞれ、子機幹線Ｌ３ａ、Ｌ３ｂ、…を介して対応する廊下灯２ａ、２ｂ、…に接続されている。
【００１８】
次に、図２に基づいて、本発明のナースコールシステにおけるナースコール親機１、複数の廊下灯２ａ、２ｂ、…および複数のナースコ−ル子機３ａ、３ｂの詳細について説明する。
【００１９】
同図において、ナースコール親機１は、ナースセンター等における看護人の映像を撮像するためのカメラ１１（以下、「親機カメラ１１」という。）と、ナースコ−ル子機で撮像した映像を表示するための液晶ディスプレイやＣＲＴ画面等から成るモニタ１２（以下、「親機モニタ１２」という。）と、音声の入出力を行うための親機マイク１３ａおよび親機レシーバ１３ｂを内蔵するハンドセットから成る送受話部１３（以下、「親機送受話部１３」という。）と、親機ＣＰＵ１４と、ナースコール子機を選局する選局スイッチ１５（以下、「親機選局スイッチ１５」という。）と、親機インターフエース１６と、親機送受アンプ１７と、ナースコ−ル子機から呼出しがあったとき着信音を発生する着信音発生部１８とを備えている。なお、親機選局スイッチ１５は、何れのナースコ−ル子機から呼出しがあったかを表示するＬＥＤ等の表示部を兼用している。ここで、親機ＣＰＵ１４は、親機カメラ１１、親機モニタ１２、親機選局スイッチ１５、親機インターフエース１６、親機送受アンプ１７および着信音発生部１８に接続され、親機送受アンプ１７には、親機送受話部１３を構成する親機マイク１３ａおよび親機スピーカ１３ｂが接続されている。
【００２０】
各廊下灯２ａ、２ｂ、…は、それぞれ、見舞い人等の訪問者の映像を撮像するためのカメラ２１（以下、「廊下灯カメラ２１」という。）と、患者を撮像した映像を表示するための液晶ディスプレイやＣＲＴ画面等から成るモニタ２２（以下、「廊下灯モニタ２２」という。）と、音声の入出力を行うための廊下灯マイク２３ａおよび廊下灯スピーカ２３ｂから成る送受話部２３（以下、「廊下灯送受話部２３」という。）と、ＣＰＵ２４（以下、「廊下灯ＣＰＵ２４」という。）と、ナースコール子機を選局する選局スイッチ２５（以下、「廊下灯選局スイッチ２５」という。）と、第１、第２の廊下灯インターフエース２６ａ、２６ｂと、廊下灯送受アンプ２７とを備えている。ここで、各廊下灯ＣＰＵ２４は、それぞれ、廊下灯カメラ２１、廊下灯モニタ２２、廊下灯選局スイッチ２５、第１、第２の廊下灯インターフエース２６ａ、２６ｂおよび廊下灯送受アンプ２７に接続され、各廊下灯送受アンプ２７には、それぞれ、廊下灯送受話部２３を構成する廊下灯マイク２３ａおよび廊下灯スピーカ２３ｂが接続され、各第１の廊下灯インターフエース２６ａには、それぞれ、廊下灯幹線Ｌ２を介して制御機４が接続されている。
【００２１】
各ナースコール子機３ａ、３ｂ、…は、それぞれ、患者の映像を撮像するためのカメラ３１（以下、「子機カメラ３１」という。）と、看護人または訪問者を撮像した映像を表示するための液晶ディスプレイやＣＲＴ画面等から成るモニタ３２（以下、「子機モニタ３２」という。）と、音声の入出力を行うための子機マイク３３ａおよび子機スピーカ３３ｂから成る送受話部３３（以下、「子機送受話部３３」という。）と、ＣＰＵ３４（以下、「子機ＣＰＵ３４」という。）と、呼出ボタン３５と、子機インターフエース３６と、子機送受アンプ３７とを備えている。ここで、各子機ＣＰＵ３４は、それぞれ、子機カメラ３１、子機モニタ３２、呼出ボタン３５、子機インターフエース３６および子機送受アンプ３７に接続され、各子機送受アンプ３７には、それぞれ、子機送受話部３３を構成するおよび子機マイク３３ａおよび子機スピーカ３３ｂが接続され、各子機インターフエース３６には、それぞれ、子機幹線Ｌ３ａ、Ｌ３ｂ、…を介して対応する第２の廊下灯インターフエース２６ｂが接続されている。
【００２２】
次に、このように構成された本発明のナースコールシステムの動作について説明する。
【００２３】
先ず、例えば、病室Ａ内のある患者（以下、「特定患者ＰＡ」という。）が、ナースセンターＮＣ内の看護人を呼び出すために、ナースコ−ル子機３ａ、３ｂの呼出しボタン３５を押下すると、子機ＣＰＵ３４の制御により、子機カメラ３１および子機モニタ３２が能動とされ、子機カメラ３１により撮像された特定患者ＰＡの映像信号が子機ＣＰＵ３４に入力される。そうすると、子機ＣＰＵ３４からアドレス情報を含有する呼出信号および映像信号が出力され、この呼出信号および映像信号が、子機インターフエース３６、子機幹線Ｌ３ａ、第２の廊下灯インターフエース２６ｂ、廊下灯ＣＰＵ２４、第１の廊下灯インターフエース２６ａ、廊下灯幹線Ｌ２、制御機４、親機幹線Ｌ１および親機インターフエース１６の経路（以下、子機インターフエース３６、子機幹線Ｌ３ａ、第２の廊下灯インターフエース２６ｂ、廊下灯ＣＰＵ２４、第１の廊下灯インターフエース２６ａ、廊下灯幹線Ｌ２、制御機４、親機幹線Ｌ１および親機インターフエース１６の経路を「第１の伝送経路」という。）を経由して親機ＣＰＵ１４へ伝送される。
【００２４】
そして、かかるアドレス情報を含有する呼出信号および映像信号が親機ＣＰＵ１４で検出されると、親機ＣＰＵ１４の制御により、着信音発生部１８から呼出音が鳴動すると共に特定患者ＰＡに係る表示部１５が点滅する。また、これと共に、親機カメラ１１および親機モニタ１２が能動とされ、これにより、親機モニタ１２に特定患者ＰＡの映像が表示され、また、親機カメラ１１により撮像された看護人の映像が親機ＣＰＵ１４へ入力される。
【００２５】
ここで、ナースセンターＮＣ内の看護人が、特定患者ＰＡからの呼出しを確認し、ハンドセットから成る送受話部１３を取上げて呼出応答すると、親機ＣＰＵ１４から特定患者ＰＡに係る応答信号および映像信号が出力され、この呼出信号および映像信号が、第１の伝送経路を経由してナースコ−ル子機３ａの子機ＣＰＵ３４へ送出される。
【００２６】
かかる応答信号および映像信号が子機ＣＰＵ３４で検出されると、子機ＣＰＵ３４の制御により、ナースコ−ル子機３ａの呼出報知機能が能動状態を呈し、ナースセンターＮＣ内の看護人からの呼出しが特定患者ＰＡに報知されると共に、子機モニタ３２に看護人の映像が表示される。
【００２７】
これにより、親機１の有する通話・映像機能とナースコ−ル子機３ａの有する通話・映像機能との間に通話・映像路が形成される。
【００２８】
次に、特定患者ＰＡの見舞い人が、廊下灯選局スイッチ２５を押下すると、廊下灯ＣＰＵ２４の制御により、廊下灯カメラ２１および廊下灯モニタ２２が能動とされ、廊下灯カメラ２１により撮像された特定患者ＰＡに係る見舞い人の映像信号が廊下灯ＣＰＵ２４に入力される。そうすると、廊下灯ＣＰＵ２４から呼出信号および映像信号が出力され、この呼出信号および映像信号が、第２の廊下灯インターフエース２６ｂ、子機幹線Ｌ３ａおよび子機インターフエース３６の経路（以下、第２の廊下灯インターフエース２６ｂ、子機幹線Ｌ３ａおよび子機インターフエース３６の経路を「第２の伝送経路」という。）を経由して子機ＣＰＵ３４へ伝送される。
【００２９】
かかる呼出信号および映像信号が子機ＣＰＵ３４で検出されると、子機ＣＰＵ３４の制御により、子機スピーカ３６ｂから呼出音が鳴動する。また、これと共に、子機カメラ３１および子機モニタ３２が能動とされ、これにより、子機モニタ３２に見舞い人の映像が表示される。一方、子機カメラ３１により撮像された特定患者ＰＡの映像は、子機ＣＰＵ３４、第２の伝送経路および廊下灯ＣＰＵ２４を経由して廊下灯モニタ２２へ送出され、これにより、特定患者ＰＡの映像の映像が廊下灯モニタ２２に表示される。
【００３０】
以上により、廊下灯２ａの有する通話・映像機能とナースコ−ル子機３ａの有する通話・映像機能との間に通話・映像路が形成される。
【００３１】
【発明の効果】
以上の説明から明らかなように、本発明のナースコールシステムによれば、ナースセンター内の看護人と、病室内の患者の様子を見ながら双方向の音声・映像通信により、コミュニケーションを図ることができる。また、見舞い人が隔離患者とコミュニケーションを図るに際しては、病室入り口に設けられた廊下灯とベッドサイドのナースコール子機を使用することにより、互いに相手の様子を見ながら通話を行うことができる。
【図面の簡単な説明】
【図１】  本発明のナースコールシステムの一実施例を示すシステム構成図。
【図２】  本発明のナースコールシステムの一実施例を示すブロック図。
【図３】  従来のナースコールシステムの一実施例を示すシステム構成図。
【符号の説明】
１…ナースコール親機
１１…カメラ（親機カメラ）
１２…モニタ（親機モニタ）
１３…送受話部（親機送受話部）
１４…ＣＰＵ（親機ＣＰＵ）
１５…選局スイッチ（親機選局スイッチ）
２ａ、２ｂ、…廊下灯
２１…カメラ（廊下灯カメラ）
２２…モニタ（廊下灯モニタ）
２３…送受話部（廊下灯送受話部）
２４…ＣＰＵ（廊下灯ＣＰＵ）
２５…選局スイッチ（廊下灯選局スイッチ）
３ａ、３ｂ、…ナースコール子機
３１…カメラ（子機カメラ）
３２…モニタ（子機モニタ）
３３…送受話部（子機送受話部）
３４…ＣＰＵ（子機ＣＰＵ）
【図１】
0004620275.tif 000002
【図２】
0004620275.tif 000003
【図３】
0004620275.tif 000004